(57)【要約】【課題】粉粒状製品を収納するための容器において、容器内部に計量スプーンを収納するための収納部を設けることにより計量スプーンが内容物に埋もれてしまうことを確実に防止し、かつ計量スプーンの持ち手部分に内容物が付着し汚損することを防止し、また、収納部にすりきり部を並設して計量作業を良好化できる粉粒状製品用容器を提供する。【解決手段】粉粒状製品用容器１０は、粉粒状の内容物を収容するための上方が開口（１０ａ）され底部が閉じた概略角筒状の容器であって、前記容器１０の内部が、粉粒状の内容物を収納するための内容物収納部１２と、計量スプーン１４を収納するためのスプーン収納部１６の二つの区画に区分されており、その区分が前記容器１０の内部に固定される仕切り板１８によってなされる。【選択図】図１
2011131891.tif 000002
【特許請求の範囲】
【請求項１】
粉粒状の内容物を収容する容器において、
前記容器の内部が、粉粒状の内容物を収納するための内容物収納部と、計量スプーンを収納するためのスプーン収納部の二つの区画に区分されており、
上記区分が前記容器の内部に固定される仕切り板によってなされていることを特徴とする粉粒状製品用容器。
【請求項２】
前記容器の上部に、すり切り部が併設され、前記すり切り部の下辺が直線形状または下方向に凸形状のうちの少なくとも一方であることを特徴とする請求項１に記載の粉粒状製品用容器。
【請求項３】
前記容器の内部には前記仕切り板端部の差し込み用の溝が形成され、当該溝に前記仕切り板の端部を差し込むことによって、前記容器に仕切り板を固定することを特徴とする請求項１または２に記載の粉粒状製品用容器。
【発明の詳細な説明】
【技術分野】
【０００１】
本発明は粉粒状製品用容器に関する。
【背景技術】
【０００２】
粉粒状の内容物を計量して使用する衣料用洗濯洗剤や自動食洗機用洗剤等を収納する代表的な容器としては、箱状の容器と計量スプーンをセットした形態が挙げられる。
【０００３】
この形態の容器の使用方法は、箱状容器の蓋を開けて、容器内に入っている計量スプーンを取り出して、粉粒状の内容物を計量スプーンで掬い取って計量し、量りとった内容物を洗濯機や自動食洗機等に投入する。
【０００４】
この容器の欠点として、計量スプーンを容器内に入れて保管するので、繰り返して使用を続けるうちにスプーンの持ち手部分が内容物で汚れて、使用時に手に内容物が付くようになることが挙げられる。
【０００５】
これに対して、実開平４−７３３３３号（特許文献１）や実用新案登録第３０１６９３１号（特許文献２）では、粉末洗剤と一緒に収納されるスプーンを外部収納または内部収納する着脱式の収納具が提案されている。
【０００６】
これらによれば、計量スプーンは内容物を収納する空間から隔離して収納可能なため、スプーンが内容物に埋もれてしまったり、持ち手部分が汚れたりすることが起こり難い。
【０００７】
しかしながら、これらの提案ではスプーンの収納具が容器本体とは別体で構成されているため、振動や落下等の外部からの衝撃により上記収納具が容器本体から脱落する虞があり、また、収納具自体が一つの箱状の容器体の形状を有するため、樹脂使用量の増加分が大きく、環境やコストへ与える影響が大きいという問題点がある。
【０００８】
なお、収納容器の計量スプーンに関する先行技術として、実開平１−１６４１３１号（特許文献３）では、計量スプーンの掬った調味料を一定にすりきるすりきり板を箱内にはめ込んだ調味料入れが示されている。この調味料入れの場合、すりきり板には、一部に丸みをもたせている。
【０００９】
また、特許第４２２６７２７号（特許文献４）では、スプーンを容器本体内に収納するのに、すりきり部でのスプーン設置箇所を支点として、スプーン先端が上方へ回動するのをフランジ部で規制する調味料収納容器が開示されている。
【００１０】
これら特許文献３〜４開示の技術では、計量スプーン専用の収納部が設けられていないものである。
【００１１】
一方、計量スプーンを保持する構造に関し、出願人は、既に特開２００５−１９３９０８号（特許文献５）、特開２００６−３３５３７８号（特許文献６）、特許第３７５６５０８号（特許文献７）によって提案している。これらいずれの提案も計量スプーンが内容物に埋没することを防止できるが、一層確実に樹脂使用量を少なくして計量スプーンの埋没および汚れ防止を図る技術の提案が要請されていた。
【先行技術文献】
【特許文献】
【００１２】
【特許文献１】実開平４−７３３３３号公報
【特許文献２】実用新案登録第３０１６９３１号公報
【特許文献３】実開平１−１６４１３１号公報
【特許文献４】特許第４２２６７２７号公報
【特許文献５】特開２００５−１９３９０８号公報
【特許文献６】特開２００６−３３５３７８号公報
【特許文献７】特許第３７５６５０８号公報
【発明の概要】
【発明が解決しようとする課題】
【００１３】
本発明は、上記の実情に鑑み、粉粒状製品を収納するための容器において、容器内部に計量スプーンを収納するための収納部を設けることにより計量スプーンが内容物に埋もれてしまうことを確実に防止し、かつ計量スプーンの持ち手部分に内容物が付着し汚損することを防止し、また、収納部にすりきり部を並設して計量作業を良好化できる粉粒状製品用容器を提供する。
【課題を解決するための手段】
【００１４】
本発明は粉粒状製品用容器に係るものである。
【００１５】
本発明は、粉粒状の内容物を収容する容器において、
前記容器の内部が、粉粒状の内容物を収納するための内容物収納部と、計量スプーンを収納するためのスプーン収納部の二つの区画に区分されており、
上記区分が前記容器の内部に固定される仕切り板によってなされていることを特徴とする粉粒状製品用容器である。
【００１６】
本発明においては、前記容器の上部に、すり切り部が併設され、前記すり切り部の下辺が直線形状または下方向に凸形状のうちの少なくとも一方であることが好適である。
【００１７】
また、本発明においては、前記容器の内部には前記仕切り板端部の差し込み用の溝が形成され、当該溝に前記仕切り板の端部を差し込むことによって、前記容器に仕切り板を固定することが好適である。
【発明の効果】
【００１８】
本発明の粉粒状製品用容器によれば、容器の内部が、粉粒状の内容物を収納するための内容物収納部と、計量スプーンを収納するためのスプーン収納部の二つの区画に区分されており、上記区分が前記容器の内部に固定される仕切り板によってなされているので、内容物が内容物収納部からスプーン収納部に入り込まず、または入り込み難く計量スプーンの持ち手が粉粒状の内容物で汚れることがない。
【００１９】
また、二つの区画への区分を仕切り板で行っているので、当該区分を必要最少限の樹脂で構成することが可能になる。
【００２０】
また、容器上部の開口を、仕切り板によって変形しないように支持することができるので、容器自体の剛性が低くても形状規制でき、容器を製作するのに使用する樹脂量を削減できる。
【００２１】
なお、本発明において、前記容器の上部に、すり切り部が併設され、前記すり切り部の下辺が直線形状または下方向に凸形状のうちの少なくとも一方を構成できる。これにより、すり切り部によって計量スプーンですくい取った粉粒状製品をすり切れるので計量性を向上できる。
【００２２】
また、本発明において、前記容器の内部には前記仕切り板端部の差し込み用の溝が形成され、当該溝に前記仕切り板の端部を差し込むことによって、前記容器に仕切り板を固定するものにすれば、一体に形成するよりも金型構造を簡単にでき、かつ製造が容易である。
【図面の簡単な説明】
【００２３】
【図１】本発明の実施形態１の実施例１に係る粉粒状製品用容器の全体説明図である。
【図２】実施形態１の実施例２に係る粉粒状製品用容器の全体説明図である。
【図３】実施形態１の実施例３に係る粉粒状製品用容器の全体説明図である。
【図４】実施形態２の実施例４に係る粉粒状製品用容器の全体説明図であって、（ａ）は仕切り板取り付け側からの斜視図、（ｂ）は（ａ）の反対側からの斜視図である。
【図５】実施形態２の実施例５に係る粉粒状製品用容器の全体説明図であって、（ａ）は仕切り板取り付け側からの斜視図、（ｂ）は（ａ）の反対側からの斜視図である。
【発明を実施するための形態】
【００２４】
以下、本発明の実施形態について、添付図面を参照して説明する。
【００２５】
図１〜３に本発明の実施形態１の実施例１〜３に係る粉粒状製品用容器の全体説明図を示し、図４〜５に、実施形態２の実施例４〜５に係る粉粒状製品用容器の全体説明図を示している。
【００２６】
図１〜５に示すように、実施形態に係る粉粒状の内容物を収容する容器（粉粒状製品用容器）１０は、粉粒状の内容物（洗剤や、調味料等各種粉粒状製品等）を収容するための上方が開口（上端部の開口１０ａ）され底部が閉じた概略角筒状の容器である。
【００２７】
前記容器１０の内部が、粉粒状の内容物を収納するための内容物収納部１２と、計量スプーン１４を収納するためのスプーン収納部１６の二つの区画に区分されている。
【００２８】
上記区分が前記容器１０の内部に固定される仕切り板１８によってなされている。
【００２９】
実施形態１では、前記容器１０の内部に前記仕切り板１８両側端部１８ａ，１８ａの差し込み用の溝２０，２０が形成され、当該溝２０，２０に前記仕切り板１８の端部１８ａ，１８ａを差し込むことによって、前記容器１０に仕切り板１８を固定している。前記容器１０は、上方の開口１０ａから下方の底面までほぼ同一横断面形状に形成されている。
【００３０】
具体的には、図１に示すように、実施例１の容器１０では、仕切り板１８（１８Ａ）が平板状に形成されており、前記容器１０幅方向の一側面１０ｂから他側面１０ｃにかけて仕切り板１８を掛け渡して設けている。容器１０には、内壁部の一側面１０ｂ側と他側面１０ｃ側に平行山脈状突起（仕切り板固定用突起）２２，２２が容器１０の開口１０ａ付近から底部にかけて凸状に形成されていて、その突起２２，２２間が凹状の溝２０，２０になっている。その溝２０，２０に前記開口１０ａから前記仕切り板１８の両端部１８ａ，１８ａを差し込み、その溝２０，２０によってそれら両端部１８ａ，１８ａを挟み付けて容器１０内に固定する。
【００３１】
また、図２に示すように、実施例２の容器１０では、仕切り板１８（１８Ｂ）が山形板状、またはアングル板状の断面角状に形成されていて、前記容器１０を平面視した幅方向の一側面１０ｂの内壁面と平面視した縦方向一方側面１０ｄの内壁面に仕切り板１８を固定して設けている。容器１０には、当該一側面１０ｂの内壁面と縦方向一方側面１０ｄの内壁面に、それぞれ平行山脈状突起（仕切り板固定用突起）２２，２２が前記開口１０ａ付近から底部にかけて凸状に形成されていて、その突起２２，２２間が凹状の溝２０，２０になっている。その溝２０，２０に前記開口１０ａから前記仕切り板１８の両端部１８ａ，１８ａを差し込み、その溝２０，２０によってそれら両端部１８ａ，１８ａを挟み付けて容器１０内に固定する。
【００３２】
また、図３に示すように、実施例３の容器１０では、仕切り板１８（１８Ｃ）が樋形状または溝板状の断面コ字状に形成されていて、前記容器１０の縦方向一方側面１０ｄの内壁面に仕切り板１８を固定して設けている。容器１０には、当該縦方向一方側面１０ｄの内壁面に、２箇所の溝２０，２０が前記容器１０の開口１０ａ付近から底部にかけて凹状に形成されている。その溝２０，２０に前記開口１０ａから前記仕切り板１８の両端部１８ａ，１８ａを差し込み、その溝２０，２０によってそれら両端部１８ａ，１８ａを挟み付けて容器１０内に固定する。
【００３３】
実施形態１では、内容物収納部１２から内容物を計量スプーン１４によって掬い取るときに底部まで当該計量スプーン１４を届かせて無駄なく内容部物を使用しきれるようにできる。容器１０の上端部の開口１０ａは図示しない蓋で開閉するようになっている。
【００３４】
実施形態２では、図４、図５に示す実施例４、実施例５のように、前記容器１０の上部に、すり切り部２４が併設され、前記すり切り部２４には、その下辺が直線形状部２４ａおよび／または下方向に凸形状部２４ｂの各部が形成されている。すり切り部２４には、直線形状部２４ａと凸形状部２４ｂの一方または双方を形成することができる。
【００３５】
具体的には、図４に示す実施例４に係る容器１０では、仕切り板１８（１８Ｄ）が山形板状、またはアングル板状の断面角状に形成されている。仕切り板１８の上部からすり切り部２４が側方に（一側面１０ｂ方向に）山形一辺に沿って腕状に延びている。前記容器１０を平面視した幅方向の一側面１０ｂの内壁面と平面視した縦方向一方側面１０ｄの内壁面に仕切り板１８を固定し、かつ、前記他側面１０ｃにすり切り部２４を固定している。
【００３６】
容器１０には、当該一側面１０ｂの内壁面と、縦方向一方側面１０ｄの内壁面に、容器１０の開口１０ａ付近から底部にかけてそれぞれ固定用の溝２０，２０が凹状に形成されている。また、上記他側面１０ｃに凹部２６が形成されている。
【００３７】
前記の溝２０，２０に容器１０の開口１０ａから前記仕切り板１８の両端部１８ａ，１８ａを差し込み、かつ、前記凹部２６に前記すり切り部２４の端部を嵌めてその溝２０，２０および凹部２６によってそれら両端部１８ａ，１８ａを挟み付けかつ、すり切り部２４端部を嵌入し支持して容器１０内に固定する。すり切り部２４の下辺には、直線形状部２４ａおよび下方向に凸形状部２４ｂの各部が並んで形成されている。
【００３８】
また、図５に示す実施例５に係る容器１０では、仕切り板１８（１８Ｅ）が樋形状または溝板状の断面コ字状に形成されていて、平面視した前記容器１０の縦方向一方側面１０ｄの内壁面に仕切り板１８を固定して設けている。この仕切り板１８の上部からすり切り部２４が側方両側に腕状に延びて、延びた先端が容器の一側面１０ｂおよび他側面１０ｃに支持し、固定している。
【００３９】
詳しくは、容器１０には、前記縦方向一方側面１０ｄの内壁面に、容器１０の開口１０ａ付近から底部にかけてそれぞれ固定用の溝２０，２０が凹状に形成されている。
【００４０】
また、上記一側面１０ｂおよび他側面１０ｃにそれぞれ凹部２６、２６が形成されている。
【００４１】
前記の溝２０，２０に容器１０の開口１０ａから前記仕切り板１８の両端部１８ａ，１８ａを差し込み、かつ、前記凹部２６，２６に前記すり切り部２４の端部を嵌めてその溝２０，２０および凹部２６，２６によってそれら両端部１８ａ，１８ａを挟み付けかつ、すり切り部２４の端部を支持して容器１０内に固定する。
【００４２】
すり切り部２４の双方に腕状に延びた部分の下辺には、直線形状部２４ａおよび下方向に凸形状部２４ｂの各部がそれぞれ形成されている。
【００４３】
前記容器１０は、射出成形によって形成されるものであって、上下割の金型が好ましい。前記容器１０の材質はポリエチレン、ポリプロピレン、ポリ乳酸などの樹脂を単層又は積層にしたものなどを使用することができる。
【００４４】
また、仕切り板１８は射出成形によって形成されるものであって、上下割の金型が好ましい。前記仕切り板１８の材質は例えばポリエチレン、ポリプロピレン、ポリ乳酸などの樹脂や樹脂と紙類、金属膜を積層して形成することができる。
【００４５】
実施形態１〜２の粉粒状製品用容器によれば、容器の内部が、粉粒状の内容物を収納するための内容物収納部１２と、計量スプーン１４を収納するためのスプーン収納部１６の二つの区画に区分されており、上記区分が前記容器１０の内部に固定される仕切り板１８によってなされているので、内容物が内容物収納部１２からスプーン収納部１６に入り込まず、または入り込み難く計量スプーン１４の持ち手が粉粒状の内容物で汚れることがない。
【００４６】
また、二つの区画(内容物収納部１２，スプーン収納部１６）への区分を仕切り板１８で行っているので、当該区分を必要最少限の樹脂で構成することが可能になる。
【００４７】
また、容器１０上端部の開口１０ａには、実施例１では一側部１０ｂから他側部１０ｃに渡って仕切り板１８を設けており、仕切り板１８によって上記開口１０ａを変形しないように支持することができるので、容器１０自体の剛性が低くても形状規制でき、容器を製作するのに使用する樹脂量を削減できる。
【００４８】
なお、実施形態２に係る粉粒状製品用容器によれば、上記実施形態１に係る容器の作用効果に加えて、前記容器１０の上部に、すり切り部２４が併設され、前記すり切り部２４の下辺が直線形状部２４ａおよび下方向に凸形状部２４ｂを形成している。これにより、すり切り部２４によって計量スプーン１４の掬い取り箇所の粉粒状製品をすり切れるのでその計量性を向上できる。
【００４９】
また、前記容器の内部には前記仕切り板１８端部の差し込み用の凹部（溝）２６が形成され、当該凹部２６に前記仕切り板１８の端部を差し込むことによって、前記容器１０に仕切り板１８を固定するものであるので、容器１０と仕切り板１８を一体に形成する場合よりも金型構造を簡単にでき、かつ製造が容易である。
【００５０】
なお、上記実施形態では、容器１０の形状を概略角筒形状に限られず、概略円筒形状にするなど種々に形成できる。
【産業上の利用可能性】
【００５１】
本発明の粉粒状製品用容器は、粉粒状の内容物として、衣料用洗濯洗剤や自動食洗機用洗剤等の洗剤や、塩、砂糖、合成や化学調味料等の食品の粉粒状製品を収納する箱状の容器に計量スプーンを併せて収納する容器として利便性良く利用することができる。
【符号の説明】
【００５２】
１０  容器（粉粒状製品用容器）
１０ａ  容器の上端部の開口
１０ｂ  容器の幅方向の一側面
１０ｃ  容器の幅方向の他側面
１０ｄ  容器の縦方向一方側面
１２  容器の内容物収納部
１４  計量スプーン
１６  スプーン収納部
１８  仕切り板
１８ａ，１８ａ  仕切り板の両側端部
２０  差し込み用の溝
２２  突起
２４  すり切り部
２４ａ  すり切り部の直線形状部
２４ｂ  すり切り部の凸形状部
２６  凹部２６
【図１】
2011131891.tif 000003
【図２】
2011131891.tif 000004
【図３】
2011131891.tif 000005
【図４】
2011131891.tif 000006
【図５】
2011131891.tif 000007